(57)【要約】【課題】  レンズフィルタを容易に且つ確実にレンズ鏡筒に取り付けることが可能なレンズアクセサリ及びレンズ鏡筒を提供する。【解決手段】  フィルタ枠とレンズキャップとを有し、フィルタ枠及びレンズキャップは、フィルタ枠に対してレンズキャップを着脱自在に取り付けるための着脱機構部と、互いのレンズ光軸回りの回転を規制する回転規制部と、を有し、レンズキャップのフィルタ枠への取付状態において回転規制部に基づく回転規制を行う。【選択図】  図１
2018036368.tif 000002
【特許請求の範囲】
【請求項１】
フィルタ枠とレンズキャップとを有し、
前記フィルタ枠及び前記レンズキャップは、
前記フィルタ枠に対して前記レンズキャップを着脱自在に取り付けるための着脱機構部と、
互いのレンズ光軸回りの回転を規制する回転規制部と、
を有し、
前記レンズキャップの前記フィルタ枠への取付状態において前記回転規制部に基づく回転規制が成される
こと特徴とするレンズアクセサリ。
【請求項２】
レンズ鏡筒本体と、
請求項１に記載の前記レンズアクセサリと、
を有し、
前記フィルタ枠は、前記レンズキャップとの取付状態で前記レンズ鏡筒本体に装着される
ことを特徴とするレンズ鏡筒。
【請求項３】
前記フィルタ枠は、前記レンズ鏡筒本体の雌ねじ部と螺合するための雄ねじ部を有し、
前記レンズ鏡筒本体の前記雌ねじ部は、前記レンズ鏡筒本体の最も被写体側よりも像側に位置しており、
前記雌ねじ部の外周側には、前記レンズ鏡筒本体の先端を保護する保護部材が被写体側に突設されている
ことを特徴とする請求項２に記載のレンズ鏡筒。
【請求項４】
前記レンズアクセサリの前記レンズ鏡筒本体への装着状態において、前記レンズキャップは前記保護部材よりも被写体側に位置する
ことを特徴とする請求項３に記載のレンズ鏡筒。
【請求項５】
前記回転規制部は、前記フィルタ枠と前記レンズキャップの一方に設けられた凸部と、他方に設けられ、前記凸部と対向する位置に設けられた凹部とから成り、
前記凸部は回転規制状態と退避状態とに切り替え可能であり、
前記回転規制状態において、前記凸部及び前記凹部は互いに係合し、
前記退避状態において、前記凸部は前記凹部と係合しない位置に退避する
こと特徴とする請求項１に記載のレンズアクセサリ。
【発明の詳細な説明】
【技術分野】
【０００１】
本発明は、レンズ鏡筒に装着可能なレンズアクセサリ及びレンズ鏡筒に関する。
【背景技術】
【０００２】
交換レンズなどの一般的なレンズ鏡筒では、レンズ鏡筒の被写体側端部には雌ねじが設けられていて、保護フィルタや偏光フィルタを取り付けることが可能となっている。さらに、特許文献１に開示されているように、取り付けられる保護フィルタ等の先端部にもレンズ鏡筒と同様に雌ねじが設けられている。そのため、交換レンズのキャップはこの雌ねじに対して係合するようにして取り付けることが可能である。これにより、フィルタを取り付けたままでもキャップを取り付けることができる。
【０００３】
一方で、高性能な大口径望遠単焦点レンズ等では、最も被写体側の１群レンズの径がとても大きくなる。このようなレンズに対してはフィルタやキャップは付属せず、レンズの先端部にラバーを配して保護するのが一般的である。フロントにラバーを配する構成とすることで、レンズを立てて置いた場合や誤ってぶつけてしまった場合にレンズに傷がつくことを防いでいる。
【０００４】
フロントラバーを備えていてもフィルタを取り付けたいというニーズは存在していた。その場合、フロントラバーの効果を維持するため、フィルタは先端部から像側に奥まった位置に取り付けられることになる。
【先行技術文献】
【特許文献】
【０００５】
【特許文献１】特開２０１３−２１０４４７号公報
【発明の概要】
【発明が解決しようとする課題】
【０００６】
しかしながら、奥まった位置にフィルタを取り付けるのは作業性に問題がある。特に、一般的なレンズに取り付けるフィルタと同様に、レンズに設けられた雌ねじと螺合するようにフィルタを取り付ける場合には、指がフィルタ機能面や第１レンズに触れないように気をつけながらねじ込まなくてはならず、特に困難であった。
【０００７】
本発明はこのような状況に鑑みてなされたものであり、レンズフィルタを容易に且つ確実にレンズ鏡筒に取り付けることが可能なレンズアクセサリ及びそれを備えたレンズ鏡筒を提供することを目的とする。
【課題を解決するための手段】
【０００８】
上記目的を達成するために、本発明を実施のレンズアクセサリはフィルタ枠とレンズキャップとを有し、フィルタ枠及びレンズキャップは、フィルタ枠に対してレンズキャップを着脱自在に取り付けるための着脱機構部と、互いのレンズ光軸回りの回転を規制する回転規制部と、を有し、レンズキャップのフィルタ枠への取付状態において回転規制部に基づく回転規制が成されること特徴とする。
【０００９】
また、本発明を実施のレンズ鏡筒は、レンズ鏡筒本体とレンズアクセサリとを有し、フィルタ枠はレンズキャップとの取付状態でレンズ鏡筒本体に装着されること特徴とする。
【００１０】
さらに本発明を実施のレンズ鏡筒は、上記発明において、フィルタ枠はレンズ鏡筒本体の雌ねじ部と螺合するための雄ねじ部を有し、レンズ鏡筒本体の雌ねじ部はレンズ鏡筒本体の最も被写体側よりも像側に位置しており、雌ねじ部の外周側には、レンズ鏡筒本体の先端を保護する保護部材が被写体側に突設されていることを特徴とする。
【００１１】
さらに本発明を実施のレンズ鏡筒は、上記発明において、レンズアクセサリのレンズ鏡筒本体への装着状態において、レンズキャップは保護部材よりも被写体側に位置することを特徴とする。
【００１２】
さらに本発明を実施のレンズアクセサリは、上記発明において、回転規制部は、フィルタ枠と前記レンズキャップの一方に設けられた凸部と、他方に設けられ凸部と対向する位置に設けられた凹部とから成り、凸部は回転規制状態と退避状態とに切り替え可能であり、回転規制状態において、凸部及び凹部は互いに係合し、退避状態において、凸部は凹部と係合しない位置に退避することを特徴とする。
【発明の効果】
【００１３】
本発明を実施のレンズアクセサリ及びレンズ鏡筒によれば、レンズフィルタを容易に且つ確実にレンズ鏡筒に取り付けることが可能なレンズアクセサリ及びそれを備えたレンズ鏡筒を提供することが可能となる。
【図面の簡単な説明】
【００１４】
【図１】本発明の一実施形態であるレンズアクセサリの外観斜視図である。
【図２】レンズアクセサリを構成するレンズキャップ単体の外観斜視図である。
【図３】一体化されたレンズアクセサリの部分断面図である。
【図４】レンズアクセサリをレンズ鏡筒に取り付けた状態の断面図である。
【図５】本発明の他の実施形態であるレンズアクセサリの凸部材の外観斜視図である。
【図６】凸部材をレンズキャップに取り付けた場合の部分断面図である。
【発明を実施するための形態】
【００１５】
以下、添付の図面に従って、本発明を実施するための最良の形態について説明する。なお、この実施の形態により本発明が限定されるものではない。
【００１６】
図１は本発明の一実施形態であるレンズアクセサリの外観斜視図であり、像面側から見た場合を示している。本図に示すレンズアクセサリ１００は、レンズキャップ１１０とレンズフィルタ１３０とから成っており、本図はこれらが互いに取り付けられた状態となっている。
【００１７】
レンズフィルタ１３０は、大まかにフィルタ枠１３１とフィルタ本体１３２とで構成されている。フィルタ本体１３２はＮＤフィルタやＰＬフィルタ等の光学的な機能を有したフィルタであったり、単にレンズのキズ防止に用いられる保護フィルタであったりする。このようなフィルタ本体１３２がフィルタ枠１３１に固定されることでレンズフィルタ１３０が構成される。
【００１８】
レンズフィルタ１３０は、フィルタ枠１３１の外周面に雄ねじ部１３３を有している。同様に、レンズ鏡筒２００のフロント側内周面の所定の箇所には対応する雌ねじ部２３１が設けられている。そして、両者のねじ部が螺合することによってレンズフィルタ１３０がレンズ鏡筒２００に取り付けられることになる。
【００１９】
図２はレンズアクセサリ１００を構成するレンズキャップ１１０単体の外観斜視図であり、図１と同様に像面側から見た場合を示している。レンズキャップ１１０は、大まかにキャップ本体１１１と着脱機構部１２０とで構成されている。
【００２０】
本実施形態においては、着脱機構部１２０は爪部１１３と操作部１１４とで構成されていて、さらに爪部１１３に対応するようにフィルタ枠１３１の内周面全周に設けられた溝部１３４も含む。爪部１１３は本図に示すように１８０度振り分けで設けられており、操作部１１４はこれらの爪部１１３と対応するようにレンズキャップ１１０の被写体側に設けられている。
【００２１】
ユーザが着脱機構部１２０の操作部１１４を半径方向に操作することにより、対応する２つの爪部１１３も半径方向に進退する。この操作よって、フィルタ枠１３１に設けられた溝部１３４に爪部１１３が挿入され、レンズキャップ１１０がレンズフィルタ１３０に取り付けられる。同様に、取り外しに際しては、着脱機構部１２０を操作して溝部１３４から爪部１１３を退避させれば、取り外しが可能となる。
【００２２】
凸部１１５は、フィルタ枠１３１に設けられた凹部１３５と共に回転規制部１４０を構成している。図１にも示すように、凸部１１５は対応する凹部１３５と係合し、それらが１８０度振り分けで設けられている。この回転規制部１４０により、レンズキャップ１１０がレンズフィルタ１３０に取り付けられた状態でお互いの回転が規制される。これは、レンズキャップ１１０をレンズフィルタ１３０に取り付ける際の回転方向の位相が決められている、とも言うこともできる。
【００２３】
図３は、上述したレンズアクセサリ１００の断面図である。特に、本図（ａ）は図１中のＡ−Ａ断面図を示しており、本図（ｂ）は図１中のＢ−Ｂ断面図を示している。
【００２４】
両図において、下方に位置するレンズフィルタ１３０の部分は双方ともほぼ同じ構成となっている。すなわち、レンズフィルタ１３０はフィルタ枠１３１とフィルタ本体１３２を有し、フィルタ枠１３１上方から挿入されたフィルタ本体１３２に対して、さらに上方から押え環１３６で締め付けることでフィルタ本体１３２がフィルタ枠１３１に固定されている。
【００２５】
本図（ａ）では、レンズキャップ１１０とレンズフィルタ１３０の着脱機構部１２０の構成を説明している。
【００２６】
上述したように、レンズキャップ１１０とレンズフィルタ１３０は爪部１１３と操作部１１４と溝部１３４とから成る着脱機構部１２０を有している。ユーザの操作によって半径方向に進退する爪部１１３が溝部１３４に挿入されることで、レンズキャップ１１０の装着が行われる。着脱機構部１２０には不図示のばねが設けられており、このばねの弾性力により爪部１１３は常に半径方向外側に付勢されている。ユーザはこの付勢力に抗して操作部１１４を操作し、爪部１１３を半径方向に進退させることでレンズキャップ１１０の着脱を行う。
【００２７】
一方本図（ｂ）では、レンズキャップ１１０とレンズフィルタ１３０の回転規制部１４０の構成を説明している。
【００２８】
上述したように、レンズキャップ１１０とレンズフィルタ１３０は凸部１１５と凹部１３５とから成る回転規制部１４０を有している。本実施形態では、レンズキャップ１１０側に凸部１１５、レンズフィルタ１３０側に凹部１３５を設けているが、これに限られるものではなく、それぞれが逆に設けられていてもよい。レンズキャップ１１０とレンズフィルタ１３０とが取り付けられた状態において両者を互いに回転させようとすると、凸部１１５と凹部１３５の回転方向の壁面が接触して回転規制状態となる。
【００２９】
なお、回転規制部１４０の凸部１１５及び凹部１３５の位置関係がユーザから視認できることが望ましい。本実施形態においては、図１及び図２からもわかるように、それぞれレンズキャップ１１０及びレンズフィルタ１３０単体の状態で外周面に凸部１１５及び凹部１３５が視認可能な形状としている。これによりユーザは容易に回転規制部１４０の位置合わせを行うことができる。図２からもわかるように、これらの着脱機構部１２０と回転規制部１４０とは互いに９０度の回転関係に位置している。
【００３０】
図４は、上述したレンズアクセサリ１００をレンズ鏡筒２００に取り付けた状態の先端部分に注目した部分断面図である。取り付けに際しては、レンズフィルタ１３０のフィルタ枠１３１外周に設けられた雄ねじ部１３３と、レンズ鏡筒２００内周面に設けられた雌ねじ部２３１とが螺合することで装着を行う。
【００３１】
ここで、レンズ鏡筒２００のフロント側の構成を説明する。レンズ鏡筒２００の光学系において最も被写体側に位置する第一レンズ２１０がレンズ鏡室２１１に固定されている。この第一レンズ２１０の固定にはレンズ押え環２１２が用いられている。
【００３２】
レンズ鏡室２１１の外周側にはフロントリング２３０が固定されていて、レンズ鏡筒２００の外観パーツを構成している。フロントリング２３０の先端部には弾性部材により成形されたフロントラバー２３２が固定されている。
【００３３】
このフロントラバー２３２はレンズ鏡筒２００の先端部から被写体側に突出するように成形され、取り付けられている。これにより、レンズ鏡筒２００を立てて置いた場合や、意図せずぶつけてしまった場合にもレンズ鏡筒２００の先端に傷がつくのを防止することができる。
【００３４】
また、レンズ鏡筒２００の先端部を突出するラバーで覆ったことにより、第一レンズ２１０はレンズ鏡筒２００の最も先端から奥まって位置することになるので、外界の異物により第一レンズ２１０が傷つくのを一定程度防ぐことが可能となる。
【００３５】
レンズキャップ１１０はレンズ鏡筒２００に装着された状態で、レンズ鏡筒２００先端のフロントラバー２３２の先端まで覆う形状をしている。また、レンズキャップ１１０外周面とフロントラバー２３２外周面の径方向の高さが概ね一致している。
【００３６】
一方で、第一レンズ２１０が奥まって位置することに伴って、レンズフィルタ１３０を取り付けるための雌ねじ部２３１も同様に奥まった位置に設けられることになる。レンズフィルタ１３０のフィルタ枠１３１は一般的に光軸方向に薄く、ユーザがレンズフィルタ１３０を手で持って取り付けるには不適切な位置となっている。特に、レンズフィルタ１３０が大口径であった場合はなおさら困難である。
【００３７】
そこで、本発明を実施のレンズアクセサリ１００では、レンズフィルタ１３０をレンズキャップ１１０に取り付け、一体となったレンズアクセサリ１００をレンズ鏡筒２００に取り付けることで、これを容易に行えるようにした。以下に、レンズフィルタ１３０のレンズ鏡筒２００への取り付けを説明する。
【００３８】
まず、レンズキャップ１１０にレンズフィルタ１３０を取り付ける。その際、上述したように回転規制部１４０の凹凸が互いに位置合わせされるようにする。
【００３９】
次に、レンズアクセサリ１００を一体化させたまま、レンズフィルタ１３０の雄ねじ部１３３とレンズ鏡筒２００の雌ねじ部２３１とを螺合させる。ユーザはレンズフィルタ１３０を直接持つ必要はなく、レンズフィルタ１３０と一体化したレンズキャップ１１０を持てばよい。
【００４０】
ねじ部のねじ込みに際しては、レンズフィルタ１３０を回転させる必要があるが、回転規制部１４０により両者が互いに回転規制されているため、レンズキャップ１１０ごと回転させることでレンズフィルタ１３０のねじ込みを行うことができる。
【００４１】
このとき、ユーザはレンズキャップ１１０の着脱機構部１２０の操作部１１４を把持して回転させることも可能であるし、レンズキャップ１１０の外周面を把持して回転させることも可能である。レンズキャップ１１０を把持した状態での回転ねじ込みを容易にするために、着脱機構部１２０の操作部１１４やレンズキャップ１１０の外周面にローレット等の表面形状を設けてもよい。そのような形状を設けることでユーザの操作性を向上することができる。
【００４２】
上述した実施形態の回転規制部１４０は、レンズキャップ１１０とレンズフィルタ１３０とに凸部１１５と凹部１３５を設けた構成をしていた。この場合、レンズ鏡筒２００を持ち運ぶ際等に意図せずレンズキャップ１１０に回転方向の外力が加わり、レンズフィルタ１３０が緩んでしまうおそれがある。
【００４３】
これに対処するために、例えば、レンズキャップ１１０に凸部材１５０、レンズフィルタ１３０に凹部１３５を設け、凸部材１５０をレンズキャップ１１０に対して着脱自在に構成することが有効である。
【００４４】
図５及び図６はこのような構成を示す一例である。図５は、レンズキャップ１１０に着脱自在な凸部材１５０の斜視図である。また、図６（ａ）はこの凸部材１５０を回転規制状態でレンズキャップ１１０に取り付けた場合の部分断面図、図６（ｂ）は凸部材１５０を退避状態でレンズキャップ１１０に取り付けた場合の部分断面図である。
【００４５】
本図に示すように、凸部材１５０は上向き・下向きのいずれでもレンズキャップ１１０に挿入可能な形状とし、スナップフィットでレンズキャップ１１０に係止される。凸部材１５０の左右に延在する腕部１５１が、凸部材１５０のレンズキャップ１１０に対する挿入深さを規定することで、回転規制状態と退避状態とを実現している。
【００４６】
本図（ａ）に示すように、回転規制状態で凸部材１５０が取り付けられると、凸部材１５０の突出部１５２がレンズフィルタ１３０の方向に突出するので、これと対応する位置に設けられた凹部１３５と位置合わせをすることで回転規制が行われる。一方、本図（ｂ）に示すように、退避状態で凸部材１５０が取り付けられると、凸部材１５０の突出部１５２はレンズフィルタ１３０の方向に突出することがないので、レンズフィルタ１３０に設けられた凹部１３５と位置合わせされることなく、レンズフィルタ１３０に対してレンズキャップ１１０は自由に回転することが可能である。
【００４７】
なお、レンズキャップ１１０から凸部材１５０を取り外す場合には、凸部材１５０を挿入した側の反対側から露出している部分を押し込むことで、凸部材１５０のスナップフィットが解除されて容易に取り外すことが可能である。
【００４８】
以上のような構成とすることにより、レンズキャップ１１０の回転規制状態を任意に切り替えることが可能となり、レンズ鏡筒２００の持ち運び等で生じる意図しないレンズフィルタ１３０の緩みを防ぐことが可能となる。
【００４９】
以上で説明したように、本発明に記載のレンズアクセサリ及びレンズ鏡筒によれば、レンズフィルタをねじにより取り付ける際に、レンズ鏡筒に直接取り付けるのではなくレンズキャップと一体化させた状態で取り付けることとした。さらに、レンズフィルタとレンズキャップとの間で回転規制部を設け、レンズキャップを把持して回転させることでレンズフィルタのねじ込みを行えることとした。
【００５０】
このような構成とすることにより、レンズ鏡筒側の雌ねじ部がレンズ先端から奥まっている場合にも、レンズフィルタを容易に且つ確実にレンズ鏡筒に取り付けることが可能となった。
【符号の説明】
【００５１】
１００  レンズアクセサリ、  １１０  レンズキャップ、  １１１  キャップ本体、  １１３  爪部、  １１４  操作部、  １１５  凸部、  １２０  着脱機構部、  １３０  レンズフィルタ、  １３１  フィルタ枠、  １３２  フィルタ本体、  １３３  雄ねじ部、  １３４  溝部、  １３５  凹部、  １３６  押え環、  １４０  回転規制部、  １５０  凸部材、  １５１  腕部、  １５２  突出部、  ２００  レンズ鏡筒、  ２１０  第一レンズ、  ２１１  レンズ鏡室、  ２１２  レンズ押え環、  ２３０  フロントリング、  ２３１  雌ねじ部、  ２３２  フロントラバー
【図１】
2018036368.tif 000003
【図２】
2018036368.tif 000004
【図３ａ】
2018036368.tif 000005
【図３ｂ】
2018036368.tif 000006
【図４】
2018036368.tif 000007
【図５】
2018036368.tif 000008
【図６ａ】
2018036368.tif 000009
【図６ｂ】
2018036368.tif 000010